(57)【特許請求の範囲】
【請求項１】
複数のＳＩＭカードを収容可能な携帯電話のインターネット通信量を計測して表示するための装置であって、
ＳＩＭカードアカウント作成モジュールと、
通信量計測モジュールと、
通信量決定モジュールと、
通信量書き込みモジュールと、
通信量獲得モジュールと、
通信量表示モジュールと、
を具備し、
前記ＳＩＭカードアカウント作成モジュールは、挿入されたＳＩＭカードに対応するＳＩＭカードアカウントが存在しないと決定した時に、前記挿入されたＳＩＭカード毎に別個にＳＩＭカードアカウントを作成するように構成され、
現在のインターネットデータストリームが存在しているとき、前記通信量計測モジュールは、前記インターネットデータストリームの現在のインターネット通信量を別個に計測するように構成され、
前記通信量決定モジュールは、前記データストリームに対応するＳＩＭカードアカウントを決定するように構成され、
前記通信量書き込みモジュールは、対応する前記ＳＩＭカードアカウントに前記データストリームの前記インターネット通信量を書き込むように構成され、
前記通信量獲得モジュールは、全てのＳＩＭカードアカウントのインターネット通信量を獲得するように構成され、
前記通信量表示モジュールは、対応するＳＩＭカードアカウントそれぞれに基づいて前記すべての獲得されたインターネット通信量を別個に表示するように構成されることを特徴とする装置。
【請求項２】
前記通信量計測モジュールが、
現在行われているインターネット通信に対応するＳＩＭカードアカウントを識別するように構成された通信識別ユニットと、
前記インターネット通信のインターネット通信量を計数するように構成された通信量計数ユニットと、
前記通信量計数ユニットの計数した前記インターネット通信量を対応する前記ＳＩＭカードアカウントに記録するように構成された通信量記録ユニットと
を具備することを特徴とする請求項１に記載の装置。
【請求項３】
前記ＳＩＭカードアカウント作成モジュールが、
一意に定まるＳＩＭカード識別子を各ＳＩＭカードから抽出するように構成された抽出サブモジュールと、
前記一意に定まるＳＩＭカード識別子に対応するＳＩＭカードアカウントを作成するように構成された作成サブモジュールと
を具備することを特徴とする請求項１又は２に記載の装置。
【請求項４】
前記通信量表示モジュールによって表示される前記インターネット通信量が、データリソース量又はインターネット接続時間として表示されることを特徴とする請求項１ないし３のいずれか１項に記載の装置。
【請求項５】
複数のＳＩＭカードに基づいてインターネット通信量を計測して表示する携帯電話機であって、
請求項１〜４のいずれか1つに記載の装置を具備することを特徴とする携帯電話機。
【請求項６】
複数のＳＩＭカードを収容可能な携帯電話のインターネット通信量を計測して表示するための方法であって、
挿入されたＳＩＭカードに対応するＳＩＭカードアカウントが存在しないと決定した時に、前記挿入されたＳＩＭカード毎に別個にＳＩＭカードアカウントを作成する段階と、
現在のインターネットデータストリームが存在しているとき、前記インターネットデータストリームの現在のインターネット通信量を計測し、前記データストリームに対応するＳＩＭカードアカウントを決定し、対応する前記ＳＩＭカードアカウントに前記データストリームの前記インターネット通信量を記録する段階と、
全てのＳＩＭカードアカウントのインターネット通信量を獲得する段階と、
対応する前記ＳＩＭカードアカウントそれぞれに基づいてすべての獲得した前記インターネット通信量を表示する段階と
を有することを特徴とする方法。
【請求項７】
ＳＩＭカード毎に別個にＳＩＭカードアカウントを作成する前記段階が、
一意に定まるＳＩＭカード識別子を各ＳＩＭカードから抽出する段階と、
前記一意に定まるＳＩＭカード識別子に対応するＳＩＭカードアカウントを作成する段階と
を含むことを特徴とする請求項６に記載の方法。
【請求項８】
表示される前記インターネット通信量が、データリソース量又はインターネット接続時間として表示されることを特徴とする請求項６又は７に記載の方法。
【発明の詳細な説明】
【技術分野】
【０００１】
本出願は、２０１０年１月１２日に中国特許庁に出願された中国特許出願第２０１０１００００５７８．９号の優先権を主張するものであり、引用によりその全内容が本明細書に組み込まれる。
【０００２】
本発明は、携帯電話端末技術の分野に関し、詳細には、携帯電話のインターネット通信量（トラフィック）を計測して表示するための方法、装置、及び携帯電話機に関する。
【背景技術】
【０００３】
３Ｇ技術の発展に伴い、携帯電話を用いたインターネット接続は、ますますありふれたものとなっている。そして、インターネット通信量を知りたいというユーザからの要望が存在している。例えば、ユーザは、月極めのインターネット接続パッケージサービスに加入して１０００ＭＢ分のインターネット接続を楽しもうとする。このようなサービスでは、通信量の超過に対する課金は高額となることが多い。したがって、ユーザは、支払いを抑えるために、現在までのインターネット通信量を確認し、以後のインターネット通信量をコントロールすることを望む。このために、現在のところ、ユーザは、チャイナモバイルやチャイナユニコムなどのサービス提供者のウェブサイトにログインし、携帯電話番号や個人情報などのキーワードを入力することによって、自身のインターネット通信量を問い合わせたり、カスタマーサービスに電話を掛けて、自身のインターネット通信量を通知するショートメッセージを受け取ったりしている。しかしながら、これらの方法はいずれも手間が掛かるので、ユーザの負担を軽減するために、いくつかの携帯電話機には、インターネット通信量の問合せ機能が備わっている。具体的には、携帯電話機にインターネット通信量計測モジュールが組み込まれ、このモジュールが、インターネット通信量の計数によるインターネット通信量計測機能を実現している。これにより、ユーザは、サービス提供者に問合せを行うことなく、自身の携帯電話機を使用して容易にインターネット通信の利用状況を確認することができる。これは極めて便利な機能と言えよう。しかしながら、出願人は、研究を重ねるうちに、従来の携帯電話機のインターネット通信量計測機能は、携帯電話機自体を対象として計測を行うにとどまり、ユーザのニーズに対応していないという知見を得た。現在、多くのユーザは、自身の携帯電話機で２つ以上のＳＩＭカードを利用している。例えば、一方のＳＩＭカードは仕事用、もう一方のＳＩＭカードはプライベート用といった使い分けを行ったり、また、デュアルモード又はマルチモード携帯電話機では、複数のＳＩＭカードの同時利用をサポートしていたりする。このような場合、携帯電話機を基準とした従来のインターネット通信量計測方法では、ユーザの要求に応えることができない。
【発明の概要】
【課題を解決するための手段】
【０００４】
本発明の実施態様は、携帯電話のインターネット通信量をＳＩＭカードに基づいて別個に計測して表示することが可能となる、携帯電話のインターネット通信量を計測して表示するための方法、装置、及び携帯電話機を提供する。
【０００５】
上記の目的のために、本発明の実施態様は、以下の技術的解決策を採用する。
【０００６】
携帯電話のインターネット通信量を計測して表示するための装置は、通信量計測モジュールと、通信量表示モジュールと、ＳＩＭカードアカウント作成モジュールとを具備する。ＳＩＭカードアカウント作成モジュールは、ＳＩＭカード毎に別個にＳＩＭカードアカウントを作成するように構成される。通信量計測モジュールは、各ＳＩＭカードアカウントのインターネット通信量を別個に計測するように構成される。通信量表示モジュールは、各ＳＩＭカードアカウントのインターネット通信量を別個に表示するように構成される。
【０００７】
ＳＩＭカードに基づいてインターネット通信量を計測して表示する携帯電話機は、通信量計測モジュールと、通信量表示モジュールと、ＳＩＭカードアカウント作成モジュールとを具備する。ＳＩＭカードアカウント作成モジュールは、ＳＩＭカード毎に別個にＳＩＭカードアカウントを作成するように構成される。通信量計測モジュールは、各ＳＩＭカードアカウントのインターネット通信量を別個に計測するように構成される。通信量表示モジュールは、各ＳＩＭカードアカウントのインターネット通信量を別個に表示するように構成される。
【０００８】
携帯電話のインターネット通信量を計測して表示するための方法は、ＳＩＭカード毎に別個にＳＩＭカードアカウントを作成する段階と、インターネットデータストリームが存在しているとき、データストリームに対応するＳＩＭカードアカウントを求めて、対応するＳＩＭカードアカウントにデータストリームのインターネット通信量を記録する段階と、ＳＩＭカードアカウントに基づいてインターネット通信量を表示する段階とを有する。
【発明の効果】
【０００９】
したがって、本発明の実施態様では、各ＳＩＭカードのインターネット通信量が別個に計測されて表示されるので、ユーザの要求を満たすことができる。
【図面の簡単な説明】
【００１０】
【図１】本発明の一実施形態による携帯電話のインターネット通信量を計測して表示するための方法のフローチャートを示す図である。
【図２】本発明の別の実施形態によるＳＩＭカードアカウント作成のフローチャートを示す図である。
【図３】本発明の別の実施形態による通信量計測のフローチャートを示す図である。
【図４】本発明の別の実施形態による通信量表示のフローチャートを示す図である。
【図５】本発明の一実施形態による携帯電話のインターネット通信量を計測して表示するための装置の構成図である。
【発明を実施するための形態】
【００１１】
１台の携帯電話機が複数のＳＩＭカードを有する状況において、本発明の実施形態では、各ＳＩＭカードのインターネット通信量が別個に計測されるので、ＳＩＭカード毎に通信量の計測を行いたいというユーザの要求が満たされる。
【００１２】
図１は、本発明の一実施形態による携帯電話のインターネット通信量を計測して表示するための方法のフローチャートを示している。本方法は、以下のステップを有する。
ステップＳ１０１：ＳＩＭカード毎に別個にＳＩＭカードアカウントを作成する。
ステップＳ１０２：インターネットデータストリームが存在しているとき、データストリームに対応するＳＩＭカードアカウントを求めて、対応するＳＩＭカードアカウントにデータストリームのインターネット通信量を記録する。
ステップＳ１０３：ＳＩＭカードアカウントに基づいてインターネット通信量を表示する。
【００１３】
ここで、ステップＳ１０１は、以下のステップを含む。
ステップＳ１０１ａ：一意に定まるＳＩＭカード識別子を各ＳＩＭカードから抽出する。
ステップＳ１０１ｂ：一意に定まるＳＩＭカード識別子に対応するＳＩＭカードアカウントを作成する。
【００１４】
本発明の実施形態の各ステージ、すなわち、ＳＩＭカードアカウントの作成、インターネット通信量の計測、及びインターネット通信量の表示の各々について、以下に詳細に記載する。
【００１５】
図２は、本発明の別の実施形態によるＳＩＭカードアカウント作成のフローチャートを示している。本フローチャートは、以下のステップを有する。
ステップＳ２０１：ＳＩＭカードを挿入する。
ステップＳ２０２：ＳＩＭカードに対応するＳＩＭカードアカウントがすでに存在しているか否かを判断する。ＳＩＭカードに対応するＳＩＭカードアカウントがすでに存在している場合は、ステップＳ２０３を実行し、そうでない場合は、プロセスを終了する。
ステップＳ２０３：ＳＩＭカードに対する新規のＳＩＭカードアカウントを作成する。その後、プロセスを終了する。
【００１６】
携帯電話機の電源が入ると、バックグラウンドで動作するプログラムは、まず、ＳＩＭカードに対応するアカウントが存在しているか否かと、携帯電話上のインターネットデータストリームが存在しているか否かとを判断する。アカウントが存在する場合、ＳＩＭカードアカウントの作成プロセスがスキップされる。そうでない場合、データベースに新規のＳＩＭカードアカウントが作成される。
【００１７】
図３は、本発明の別の実施形態による通信量計測のフローチャートを示している。本フローチャートは、以下のステップを有する。
ステップＳ３０１：インターネットデータストリームが存在しているか否かを判断する。インターネットデータストリームが存在する場合、ステップＳ３０２を実行し、そうでない場合、ステップＳ３０１の実行を継続する。
ステップＳ３０２：携帯電話で現在使用しているＳＩＭカードの一意に定まるＳＩＭカード識別子（ＳＩＭカード番号、ＳＩＭカードの番号の一部分、ＳＩＭカード番号を暗号化したものなど）を取得する。
ステップＳ３０３：データベース内の一意に定まるＳＩＭカード識別子に対応するＳＩＭカードアカウントに現在のインターネット通信量を記録する。その後、ステップＳ３０１の実行を継続する。
【００１８】
バックグラウンドアプリケーションは、インターネットデータストリームが存在するか否かを監視し続ける。インターネットストリームが存在しない場合、バックグラウンドアプリケーションは待機状態となる。インターネットデータストリームが存在する場合、最初に、現在のＳＩＭカードアカウントが求められ、次いで、対応するＳＩＭカードアカウントにインターネット通信量が記録される。
【００１９】
図４は、本発明の別の実施形態による通信量表示のフローチャートを示している。本フローチャートは、以下のステップを有する。
ステップＳ４０１：すべてのアカウントの通信量を取得する。
ステップＳ４０２：アカウントに基づいて別個に通信量を表示する。
【００２０】
さらに、本発明の実施形態は、携帯電話のインターネット通信量を計測して表示するための装置を提供する。本装置は、ソフトウェア、ハードウェア、又はソフトウェアとハードウェアとの組合せによって実現されてよい。特に、本装置は、各ＳＩＭカードのインターネット通信量をユーザが問い合わせるために、携帯電話機に組み込まれる。
【００２１】
図５は、本発明の一実施形態による携帯電話のインターネット通信量を計測して表示するための装置を示している。本装置は、通信量計測モジュール５０１と、通信量表示モジュール５０２と、ＳＩＭカードアカウント作成モジュール５０３とを具備する。ここで、ＳＩＭカードアカウント作成モジュール５０３は、ＳＩＭカード毎に別個にＳＩＭカードアカウントを作成するように構成され、通信量計測モジュール５０１は、各ＳＩＭカードアカウントのインターネット通信量を別個に計測するように構成され、通信量表示モジュール５０２は、各ＳＩＭカードアカウントのインターネット通信量を別個に表示するように構成される。
【００２２】
通信量計測モジュール５０１は、現在のインターネット通信に対応するＳＩＭカードアカウントを識別するように構成された通信識別ユニット５０１１と、通信量を計数するように構成された通信量計数ユニット５０１２と、通信量計数ユニット５０１２の計測したインターネット通信量を対応するＳＩＭカードアカウントに記録するように構成された通信量記録ユニット５０１３とを具備する。
【００２３】
ＳＩＭカードアカウント作成モジュール５０３は、一意に定まるＳＩＭカード識別子を各ＳＩＭカードから抽出するように構成された抽出サブモジュールと、一意に定まるＳＩＭカード識別子に対応するＳＩＭカードアカウントを作成するように構成された作成サブモジュールとを具備する。
【００２４】
通信量表示モジュール５０２によって表示されるインターネット通信量は、ＭＢ単位やインターネット接続時間単位で表示される。
【００２５】
通信量計測モジュール及び通信量表示モジュールを実現するための既存のスキームとしては、完成済コード又はハードウェアがあることに留意されたい。したがって、従来技術は、本発明のこの実施形態に直接に適用されてよい。
【００２６】
さらに、本発明の一実施形態は、ＳＩＭカードに基づいてインターネット通信量を計測して表示する携帯電話機を提供し、そのような携帯電話機を介して、ユーザは、各ＳＩＭカードのインターネット通信量を問い合わせることができる。
【００２７】
本携帯電話機は、ＳＩＭカード毎に別個にＳＩＭカードアカウントを作成するように構成されたＳＩＭカードアカウント作成モジュールと、各ＳＩＭカードアカウントのインターネット通信量を別個に計測するように構成された通信量計測モジュールと、各ＳＩＭカードアカウントのインターネット通信量を別個に表示するように構成された通信量表示モジュールとを少なくとも具備する。
【００２８】
通信量計測モジュールは、現在のインターネット通信に対応するＳＩＭカードアカウントを識別するように構成された通信識別ユニットと、通信量を計数するように構成された通信量計数ユニットと、通信量計数ユニットの計測したインターネット通信量を対応するＳＩＭカードアカウントに記録するように構成された通信量記録ユニットとを具備する。
【００２９】
ＳＩＭカードアカウント作成モジュールは、一意に定まるＳＩＭカード識別子を各ＳＩＭカードから抽出するように構成された抽出サブモジュールと、一意に定まるＳＩＭカード識別子に対応するＳＩＭカードアカウントを作成するように構成された作成サブモジュールとを具備する。
【００３０】
通信量表示モジュールによって表示されるインターネット通信量は、ＭＢ単位やインターネット接続時間単位で表示される。
【００３１】
したがって、本発明の実施形態では、各ＳＩＭカードのインターネット通信量は、別個に計測されて表示されることが可能となる。それにより、通信量を表示する際、例えば、インターネット接続時間の表示により、ユーザに対して有効時間を示したり、又は、例えば、何メガバイトのデータリソースがすでに使用されたかの表示により、ユーザに対して使用済みデータリソースの量を示したりして、ユーザの要求を満たすことができる。
【００３２】
より良い理解のために実際の例を用い、ユーザが２つのＳＩＭカードを用いる場合、すなわち、携帯電話機上にＳＩＭ １とＳＩＭ ２とが存在している場合について考える。契約している月極めインターネット接続パッケージサービスが２つのカードで異なっており、すなわち、ＳＩＭ １で契約しているサービスは、１００分間の定額接続時間と、１００分を超過した場合の追加課金とからなり、一方、ＳＩＭ ２で契約しているサービスは、１０００ＭＢ分の定額通信量と、１０００ＭＢの通信量を超過した場合の追加課金とからなる。本発明の実施形態によれば、インターネット通信量は、ＳＩＭ １とＳＩＭ ２とに対して別個に計測されて表示される。それにより、ユーザは、各ＳＩＭカードの現在のインターネット接続状況を直感的に確認できる。例えば、ユーザは、問合せにより、ＳＩＭ １によって現在までに使用された今月のインターネット接続時間が９０分であることと、ＳＩＭ ２によって現在までに使用された今月の通信量が３００ＭＢであることとを知る。したがって、ユーザは、今月の残りの期間は、インターネット接続に対するＳＩＭ １の利用を適度に減らすとともに、インターネット接続に対するＳＩＭ ２の利用を適度に増やすことで、支払いを抑えるという目的を達成できる。
【００３３】
以上の実施形態による方法の各プロセスがプログラムによる命令を受ける関連するハードウェアによって実現され得るということは、当業者には明白である。プログラムは、コンピュータ読み取り可能な記録媒体に格納されてよい。プログラム実行時、先に記載した方法の対応する各ステップが実行される。記録媒体は、ＲＯＭ／ＲＡＭ、磁気ディスク、ＣＤ−ＲＯＭ等であってよい。
【００３４】
以上の記載は、本発明の実施形態の例示に過ぎない。本発明の原理から逸脱することなく、さまざまな変形例や改良例を作り出し得るということ、かつ、そのような修正例や改良例が本発明の保護範囲内にあるということが、当業者には明白である。
【符号の説明】
【００３５】
５０１  通信量計測モジュール
５０１１  通信量計数ユニット
５０１２  通信識別ユニット
５０１３  通信量記録ユニット
５０２  通信量表示モジュール
５０３  ＳＩＭカードアカウント作成モジュール
【図１】
0005621162.tif 000002
【図２】
0005621162.tif 000003
【図３】
0005621162.tif 000004
【図４】
0005621162.tif 000005
【図５】
0005621162.tif 000006